(57)【特許請求の範囲】
【請求項１】
鋼材を楕円状としたもので、２か所の第１及び第２の直線部と、２か所の第１及び第２の曲線部からなる第１の保持部材と、
鋼材を直線状にしたもので、上記第１の保持部材の上記第１の曲線部の中間部と上記第２の曲線部の中間部に両端がそれぞれ溶接された第２の保持部材と、
鋼材を直線状にしたもので、上記第１の保持部材の上記第１の直線部と上記第２の直線部に両端がそれぞれ溶接された第３の保持部材と、
鋼材を直線状にしたもので、上記第１の保持部材の上記第１の直線部と上記第２の直線部に両端がそれぞれ溶接された第４の保持部材と、
を備え、上記第２の保持部材が上記第３及び第４の保持部材と交差する部分も溶接されており、一対が一組となって第１及び第２のワイヤーロープに通されて使用され、
上記第１のワイヤーロープを通すために、上記第１の保持部材の上記第１の曲線部と上記第２の保持部材、上記第３の保持部材により囲まれた第１の開口部が形成され、上記第２のワイヤーロープを通すために、上記第１の保持部材の第２の曲線部と上記第２の保持部材、上記第４の保持部材により囲まれた第２の開口部が形成されること
を特徴とする石積・石張吊金具。
【請求項２】
鋼材を楕円状としたもので、２か所の第１及び第２の直線部と、２か所の第１及び第２の曲線部からなる第１の保持部材と、
鋼材を直線状にしたもので、上記第１の保持部材の上記第１の曲線部の中間部と上記第２の曲線部の中間部に両端がそれぞれ溶接された第２の保持部材と、
鋼材を直線状にしたもので、上記第１の保持部材の上記第１の直線部から上記第１の曲線部に切り替わる部分と上記第１の曲線部から上記第２の直線部に切り替わる部分に両端がそれぞれ溶接された第３の保持部材と、
鋼材を直線状にしたもので、上記第１の保持部材の上記第１の直線部から上記第２の曲線部に切り替わる部分と上記第２の曲線部から上記第２の直線部に切り替わる部分に両端がそれぞれ溶接された第４の保持部材と、
を備え、上記第２の保持部材が上記第３及び第４の保持部材と交差する部分も溶接されており、一対が一組となって第１及び第２のワイヤーロープに通されて使用され、
上記第１のワイヤーロープを通すために、上記第１の保持部材の上記第１の曲線部と上記第２の保持部材、上記第３の保持部材により囲まれた第１の開口部が形成され、上記第２のワイヤーロープを通すために、上記第１の保持部材の第２の曲線部と上記第２の保持部材、上記第４の保持部材により囲まれた第２の開口部が形成されること
を特徴とする石積・石張吊金具。
【請求項３】
鋼材を直線状にしたもので、上記第１の保持部材の上記第１の直線部の中央部と上記第２の直線部の中央部に両端がそれぞれ溶接された第５の保持部材を更に有すること
を特徴とする請求項１又は２のいずれかに記載の石積・石張吊金具。
【請求項４】
一対の石積・石張吊金具と、少なくとも第１及び第２のワイヤーロープからなる石積・石張吊システムであって、
上記各石積・石張吊金具は、
鋼材を楕円状としたもので、２か所の第１及び第２の直線部と、２か所の第１及び第２の曲線部からなる第１の保持部材と、
鋼材を直線状にしたもので、上記第１の保持部材の上記第１の曲線部の中間部と上記第２の曲線部の中間部に両端がそれぞれ溶接された第２の保持部材と、
鋼材を直線状にしたもので、上記第１の保持部材の上記第１の直線部から上記第１の曲線部に切り替わる部分と上記第１の曲線部から上記第２の直線部に切り替わる部分に両端がそれぞれ溶接された第３の保持部材と、
鋼材を直線状にしたもので、上記第１の保持部材の上記第１の直線部から上記第２の曲線部に切り替わる部分と上記第２の曲線部から上記第２の直線部に切り替わる部分に両端がそれぞれ溶接された第４の保持部材と、
を備えており、
上記第２の保持部材が上記第３及び第４の保持部材と交差する部分も溶接されており、
上記各石積・石張吊金具において、上記第１の保持部材の上記第１の曲線部と上記第２の保持部材、上記第３の保持部材により囲まれた第１の開口部に上記第１のワイヤーロープを通し、上記第１の保持部材の第２の曲線部と上記第２の保持部材、上記第４の保持部材により囲まれた第２の開口部に上記第２のワイヤーロープを通し、一対の石積・石張吊金具が石材を挟持すること
を特徴とする石積・石張吊システム。
【請求項５】
上記各石積・石張吊金具は、更に鋼材を直線状にしたもので、上記第１の保持部材の上記第１の直線部の中央部と上記第２の直線部の中央部に両端がそれぞれ溶接された第５の保持部材を更に有すること
を特徴とする請求項４に記載の石積・石張吊システム。
【発明の詳細な説明】
【技術分野】
【０００１】
本発明は、土木、建築工事で自然石を用いた石積、石張り及び巨石積、巨石張り等の施工を行うときに、石材の移動・据付器具として使用する石積・石張吊金具及び石積・石張吊システムに関する。
【背景技術】
【０００２】
従来の施工では、石にワイヤーロープを掛ける、所謂玉掛け作業の際には、移動する石の重心の近いところにワイヤーロープを２本巻き付け、該ワイヤーロープを引張りながら締め付けて吊り上げ、材料置場から施工箇所まで移動、設置していた。この手法では、ワイヤーロープが石の表面を滑り、その結果、石がワイヤーロープから抜け落ちて作業者が怪我をしたり、近くの物を壊したりすることがあった。
【０００３】
このような問題に鑑みて、玉掛け作業の際の安全性を確保するために、例えば特許文献１では、フックに３本のメインチェーンを接続し、これらメインチェーンの下端に二股に分岐したサブチェーンを接続し、このサブチェーンの下端側に、隣接するサブチェーンと互いに着脱自在に連結するカナビラを設け、使用中の変形もなく安全に吊上げることができる石吊上げ用チェーンが開示されている。
【先行技術文献】
【特許文献】
【０００４】
【特許文献１】特許第３９６５９２７号公報
【発明の概要】
【発明が解決しようとする課題】
【０００５】
しかしながら、前述した従来の玉掛け作業の手法では、石の重心に近いところに２本のワイヤーロープを巻き付けなければならず、そのため石の下にワイヤーロープを通し吊り上げるための手間がかかる。また、据付けた後は、吊り上げ時の逆でワイヤーロープが外しにくかったり、時には据付けた石が動いてしまったりする。
【０００６】
また、特許文献１に開示の石吊上げ用チェーンは構成が複雑であり、あくまでもチェーンの発明であり、ワイヤーロープを用いた玉掛け作業に用いるものではなかった。
【０００７】
そこで、本発明は上述の技術的な課題に鑑み、石材を安全に移動し、所望とする場所に据付けることができ、吊り上げ時、据付け後のワイヤーロープの掛け外しが容易にできる石積・石張吊金具及び石積・石張吊システムを提供することを目的とする。
【課題を解決するための手段】
【０００８】
上述技術的な課題を解決するため、本発明の第１の態様は、鋼材を楕円状としたもので、２か所の第１及び第２の直線部と、２か所の第１及び第２の曲線部からなる第１の保持部材と、鋼材を直線状にしたもので、上記第１の保持部材の上記第１の曲線部の中間部と上記第２の曲線部の中間部に両端がそれぞれ溶接された第２の保持部材と、鋼材を直線状にしたもので、上記第１の保持部材の上記第１の直線部と上記第２の直線部に両端がそれぞれ溶接された第３の保持部材と、鋼材を直線状にしたもので、上記第１の保持部材の上記第１の直線部と上記第２の直線部に両端がそれぞれ溶接された第４の保持部材と、を備え、上記第２の保持部材が上記第３及び第４の保持部材と交差する部分も溶接されており、一対が一組となって第１及び第２のワイヤーロープに通されて使用され、上記第１のワイヤーロープを通すために、上記第１の保持部材の上記第１の曲線部と上記第２の保持部材、上記第３の保持部材により囲まれた第１の開口部が形成され、上記第２のワイヤーロープを通すために、上記第１の保持部材の第２の曲線部と上記第２の保持部材、上記第４の保持部材により囲まれた第２の開口部が形成されることを特徴とする。
【０００９】
本発明の第２の態様は、鋼材を楕円状としたもので、２か所の第１及び第２の直線部と、２か所の第１及び第２の曲線部からなる第１の保持部材と、鋼材を直線状にしたもので、上記第１の保持部材の上記第１の曲線部の中間部と上記第２の曲線部の中間部に両端がそれぞれ溶接された第２の保持部材と、鋼材を直線状にしたもので、上記第１の保持部材の上記第１の直線部から上記第１の曲線部に切り替わる部分と上記第１の曲線部から上記第２の直線部に切り替わる部分に両端がそれぞれ溶接された第３の保持部材と、鋼材を直線状にしたもので、上記第１の保持部材の上記第１の直線部から上記第２の曲線部に切り替わる部分と上記第２の曲線部から上記第２の直線部に切り替わる部分に両端がそれぞれ溶接された第４の保持部材と、を備え、上記第２の保持部材が上記第３及び第４の保持部材と交差する部分も溶接されており、一対が一組となって第１及び第２のワイヤーロープに通されて使用され、上記第１のワイヤーロープを通すために、上記第１の保持部材の上記第１の曲線部と上記第２の保持部材、上記第３の保持部材により囲まれた第１の開口部が形成され、上記第２のワイヤーロープを通すために、上記第１の保持部材の第２の曲線部と上記第２の保持部材、上記第４の保持部材により囲まれた第２の開口部が形成されることを特徴とする。
【００１０】
本発明の第３の態様は、一対の石積・石張吊金具と、少なくとも第１及び第２のワイヤーロープからなる石積・石張吊システムであって、上記各石積・石張吊金具は、鋼材を楕円状としたもので、２か所の第１及び第２の直線部と、２か所の第１及び第２の曲線部からなる第１の保持部材と、鋼材を直線状にしたもので、上記第１の保持部材の上記第１の曲線部の中間部と上記第２の曲線部の中間部に両端がそれぞれ溶接された第２の保持部材と、鋼材を直線状にしたもので、上記第１の保持部材の上記第１の直線部から上記第１の曲線部に切り替わる部分と上記第１の曲線部から上記第２の直線部に切り替わる部分に両端がそれぞれ溶接された第３の保持部材と、鋼材を直線状にしたもので、上記第１の保持部材の上記第１の直線部から上記第２の曲線部に切り替わる部分と上記第２の曲線部から上記第２の直線部に切り替わる部分に両端がそれぞれ溶接された第４の保持部材とを備えており、上記第２の保持部材が上記第３及び第４の保持部材と交差する部分も溶接されており、上記各石積・石張吊金具において、上記第１の保持部材の上記第１の曲線部と上記第２の保持部材、上記第３の保持部材により囲まれた第１の開口部に上記第１のワイヤーロープを通し、上記第１の保持部材の第２の曲線部と上記第２の保持部材、上記第４の保持部材により囲まれた第２の開口部に上記第２のワイヤーロープを通し、一対の石積・石張吊金具が石材を挟持することを特徴とする。
【発明の効果】
【００１１】
本発明に係る石積・石張吊金具及び石積・石張吊システムによれば、石材を安全に移動し、所望とする場所に据付けることができ、吊り上げ時、据付け後のワイヤーロープの掛け外しが容易にできる。
【図面の簡単な説明】
【００１２】
【図１】本発明の一実施形態に係る石積・石張吊金具の構成図。
【図２】本発明の一実施形態に係る石積・石張吊金具の使用例を示す図。
【図３】（ａ）乃至（ｃ）は、本発明の一実施形態に係る石積・石張吊金具の使用方法を示す図。
【図４】（ａ）は巨石積工の様子を示す図、（ｂ）は巨石張工の様子を示す図。
【図５】本発明の一実施形態に係る石積・石張吊金具の改良例の構成図。
【図６】本発明の一実施形態に係る石積・石張吊金具の更なる改良例の構成図。
【発明を実施するための形態】
【００１３】
以下、本発明の石積・石張吊金具、石積・石張吊システムに係る好適な実施形態について図面を参照しつつ説明する。なお、本発明の石積・石張吊金具、石積・石張吊システムは、以下の記述に限定されるものではなく、本発明の要旨を逸脱しない範囲において、適宜変更可能である。
【００１４】
図１には本発明の一実施形態に係る石積・石張吊金具の構成を示し説明する。
【００１５】
同図に示されるように、鋼材を楕円状とした第１の保持部材２と、鋼材を直線状にした第２の保持部材３、第３の保持部材４、第４の保持部材５からなる。
【００１６】
すなわち、より詳細には、第１の保持部材２は、直線部２ａ，２ｃと曲線部２ｂ，２ｄからなり、曲線部２ｂの中間部と曲線部２ｄの中間部に第２の保持部材３の両端が溶接されている。更に、第１の保持部材２の直線部２ａと直線部２ｃに第３の保持部材４の両端がそれぞれ溶接されており、第１の保持部材２の直線部２ａと直線部２ｃに第４の保持部材５の両端がそれぞれ溶接されている。より具体的には、この例では、第１の保持部材２の直線部２ａから曲線部２ｂに切り替わる部分と曲線部２ｂから直線部２ｃに切り替わる部分に第３の保持部材４の両端がそれぞれ溶接されている。そして、第１の保持部材２の直線部２ａから曲線部２ｄに切り替わる部分と曲線部２ｄから直線部２ｃに切り替わる部分に第４の保持部材５の両端がそれぞれ溶接されている。第２の保持部材３が、第３、第４の保持部材４，５と交差する部分も溶接されている。
【００１７】
尚、第２の保持部材３を３分割して、一つは第１の保持部材２の曲線部２ｂの中間部と第３の保持部材４の中間部に両端を溶接し、他の一つは第３の保持部材４の中間部と第４の保持部材５の中間部に両端を溶接し、更に他の一つは第４の保持部材５の中間部と第１の保持部材２の曲線部２ｄの中間部に両端を接続してもよい。
【００１８】
ここで示した例では、第１の保持部材２の直線部２ａ，２ｃの長さが１５０ｍｍ、第１の保持部材２の曲線部２ｂ，２ｄの半径が７５ｍｍ、第２の保持部材３の長さが３００ｍｍ、第３、第４の保持部材４，５の長さが１５０ｍｍとなっている。また、第１乃至第４の保持部材２乃至５を構成する鋼材（丸鋼）の径は１６ｍｍとなっている。サイズはいずれも丸鋼材の中心からの長さである。但し、これは一例であって、サイズはこれに限定されるものではない。
【００１９】
また、上記第１乃至第４の保持部材２乃至５に用いられる鋼材としては、例えば化学成分がＣ、Ｓｉ、Ｍｎ、Ｐ（５０％以下）、Ｓ（５０％以下）、Ｃｕであって、降状点が２３５Ｎ／ｍｍ２以上、引張強さが３８０〜５２０Ｎ／ｍｍ２の間、伸びが２０％以上のものを採用することができるが、これには限定されない。
【００２０】
この石積・石張吊金具を実際に使用する場合には、図２に示されるように一対を一組として２本のワイヤーロープと共に使用することになる。このような少なくとも２本のワイヤーロープと石積・石張吊金具により本発明の一実施形態に係る石積・石張吊システムが構成されることになる。
【００２１】
即ち、石積・石張吊金具１Ａにおいて、第１の保持部材２Ａの曲線部２Ａｂと第２の保持部材３Ａ、第３の保持部材４Ａにより囲まれた開口部Ｓ１に上からワイヤーロープ１００を通し、第１の保持部材２Ａの曲線部２Ａｄと第２の保持部材３Ａ、第４の保持部材５Ａにより囲まれた開口部Ｓ２に上からワイヤーロープ１０１を通す。同様に、石積・石張吊金具１Ｂにおいて、第１の保持部材２Ｂの曲線部２Ｂｂと第２の保持部材３Ｂ、第３の保持部材４Ｂにより囲まれた開口部Ｓ３に上からワイヤーロープ１００を通し、第１の保持部材２Ｂの曲線部２Ｂｄと第２の保持部材３Ｂ、第４の保持部材５Ｂにより囲まれた開口部Ｓ４に上からワイヤーロープ１０１を通す。
【００２２】
このように、ワイヤーロープ１００，１０１を石積・石張吊金具１Ａ，１Ｂに通すことで、移動対象である石材の下に位置するワイヤーロープ１００，１０１の間隔が一定幅に規制され、バランスが保たれる。さらに、石材の下方両側面において、石積・石張吊金具１Ａ，１Ｂが移動対象である石材をしっかりと保持する。このとき、特に下方に位置する第１の保持部材２Ａ，２Ｂの直線部２Ａｃ、２Ｂａと、第２の保持部材３Ａ，３Ｂが石材に当接し、左右上下方向に石材が移動しないようにしっかりと保持する。尚、ワイヤーロープ１００，１０１を石積・石張吊金具１Ａ，１Ｂに通す位置は前述した位置には限定されないことは勿論である。
【００２３】
以下、図３を参照して、この石積・石張吊金具の使用方法を更に詳述する。
【００２４】
先に図２で前述したように、同じ長さの２本のワイヤーロープ１００，１０１を２個の石積・石張吊金具１Ａ，１Ｂの対称となる位置（前述したとおり）に通し、該ワイヤーロープ１００，１０１の両端をクレーン等のフックに掛ける。その後、図３（ａ）に示されるように、玉掛け者２人が各１個の石積・石張吊金具１Ａ，１Ｂを持ち、図３（ｂ）に示されるように、吊り上げを所望とする石材２００の両側下方に該金具１Ａ，１Ｂをセットする。続いて、図３（ｃ）に示されるように、クレーンに合図し、ゆっくりとフックを巻き上げて、左右の石積・石張吊金具１Ａ，１Ｂがしっかり石材２００を挟み込むのを確認し、同時にワイヤーロープ１００，１０１の撓みや緩みのないことを確認する。こうして、石材２００が地面から離れたら一度クレーンを止め、石材２００の傾き等がないかを確認し、吊上げ完了となる。吊上げられた石材２００は、クレーンにより所望とされる場所まで移動され、図４（ａ）の断面図に示されるような巨石積工、図４（ｂ）の断面図に示されるような巨石張工が施工される。
【００２５】
一般に法面勾配が４５度より急なものを石積といい、それよりも緩やかなものを石張と称する。図４（ａ），（ｂ）の例では、裏込めにコンクリートやモルタルを使用して石を積み上げていく練積みの様子を例示している。
【００２６】
以上説明したように、本発明の実施形態によれば、鋼材を楕円状としたもので、２か所の第１及び第２の直線部２ａ，２ｃと、２か所の第１及び第２の曲線部２ｂ，２ｄからなる第１の保持部材２と、鋼材を直線状にしたもので、上記第１の保持部材２の上記第１の曲線部２ｂの中間部と上記第２の曲線部２ｄの中間部に両端がそれぞれ溶接された第２の保持部材３と、鋼材を直線状にしたもので、上記第１の保持部材２の上記第１の直線部２ａと上記第２の直線部２ｃに両端がそれぞれ溶接された第３の保持部材４と、鋼材を直線状にしたもので、上記第１の保持部材２の上記第１の直線部２ａと上記第２の直線部２ｃに両端がそれぞれ溶接された第４の保持部材５とを備え、上記第２の保持部材３が上記第３及び第４の保持部材４，５と交差する部分も溶接されており、一対が一組となってワイヤーロープに通されて使用されることを特徴とする石積・石張吊金具が提供される。
【００２７】
より詳細には、鋼材を楕円状としたもので、２か所の第１及び第２の直線部２ａ，２ｃと、２か所の第１及び第２の曲線部２ｂ，２ｄからなる第１の保持部材２と、鋼材を直線状にしたもので、上記第１の保持部材２の上記第１の曲線部２ｂの中間部と上記第２の曲線部２ｄの中間部に両端がそれぞれ溶接された第２の保持部材３と、鋼材を直線状にしたもので、上記第１の保持部材２の上記第１の直線部２ａから上記第１の曲線部２ｂに切り替わる部分と上記第１の曲線部２ｂから上記第２の直線部２ｃに切り替わる部分に両端がそれぞれ溶接された第３の保持部材４と、鋼材を直線状にしたもので、上記第１の保持部材２の上記第１の直線部２ａから上記第２の曲線部２ｄに切り替わる部分と上記第２の曲線部２ｄから上記第２の直線部２ｃに切り替わる部分に両端がそれぞれ溶接された第４の保持部材５とを備え、上記第２の保持部材３が上記第３及び第４の保持部材４，５と交差する部分も溶接されており、一対が一組となってワイヤーロープに通されて使用されることを特徴とする石積・石張吊金具が提供される。
【００２８】
さらに、本発明の実施形態によれば、一対の石積・石張吊金具１Ａ，１Ｂと、少なくとも第１及び第２のワイヤーロープ１００，１０１からなる石積・石張吊システムであって、上記各石積・石張吊金具１Ａ，１Ｂは、鋼材を楕円状としたもので、２か所の第１及び第２の直線部２ａ，２ｃ（２Ａａ，２Ａｃ、２Ｂａ，２Ｂｃ）と、２か所の第１及び第２の曲線部２ｂ，２ｄ（２Ａｂ，２Ａｄ、２Ｂｂ，２Ｂｄ）からなる第１の保持部材２（２Ａ，２Ｂ）と、鋼材を直線状にしたもので、上記第１の保持部材２（２Ａ，２Ｂ）の上記第１の曲線部２ｂ（２Ａｂ，２Ｂｂ）の中間部と上記第２の曲線部２ｄ（２Ａｄ，２Ｂｄ）の中間部に両端がそれぞれ溶接された第２の保持部材３（３Ａ，３Ｂ）と、鋼材を直線状にしたもので、上記第１の保持部材２（２Ａ，２Ｂ）の上記第１の直線部２ａ（２Ａａ、２Ｂａ）から上記第１の曲線部２ｂ（２Ａｂ，２Ｂｂ）に切り替わる部分と上記第１の曲線部２ｂ（２Ａｂ，２Ｂｂ）から上記第２の直線部２ｃ（２Ａｃ，２Ｂｃ）に切り替わる部分に両端がそれぞれ溶接された第３の保持部材４（４Ａ，４Ｂ）と、鋼材を直線状にしたもので、上記第１の保持部材２（２Ａ，２Ｂ）の上記第１の直線部２ａ（２Ａａ、２Ｂａ）から上記第２の曲線部２ｄ（２Ａｄ，２Ｂｄ）に切り替わる部分と上記第２の曲線部２ｄ（２Ａｄ，２Ｂｄ）から上記第２の直線部２ｃ（２Ａｃ，２Ｂｃ）に切り替わる部分に両端がそれぞれ溶接された第４の保持部材５（５Ａ，５Ｂ）とを備えており、上記第２の保持部材３（３Ａ，３Ｂ）が上記第３及び第４の保持部材４（４Ａ，４Ｂ），５（５Ａ，５Ｂ）と交差する部分も溶接されており、上記石積・石張吊金具１Ａにおいて、上記第１の保持部材２Ａの上記第１の曲線部２Ａｂと上記第２の保持部材３Ａ、上記第３の保持部材４Ａにより囲まれた第１の開口部Ｓ１に上記第１のワイヤーロープ１００を通し、上記第１の保持部材２Ａの第２の曲線部２Ａｄと上記第２の保持部材３Ａ、上記第４の保持部材５Ａにより囲まれた第２の開口部Ｓ２に上記第２のワイヤーロープ１０１を通し、上記石積・石張吊金具１Ｂにおいて、上記第１の保持部材２Ｂの上記第１の曲線部２Ｂｂと上記第２の保持部材３Ｂ、上記第３の保持部材４Ｂにより囲まれた第３の開口部Ｓ３に上記第１のワイヤーロープ１００を通し、上記第１の保持部材２Ｂの第２の曲線部２Ｂｄと上記第２の保持部材３Ｂ、上記第４の保持部材５Ｂにより囲まれた第４の開口部Ｓ４に上記第２のワイヤーロープ１０１を通し、一対の石積・石張吊金具が石材を挟持することを特徴とする石積・石張吊システムが提供される。
【００２９】
したがって、この石積・石張吊金具によれば、石材の抜け落ちがないように該石材を挟み込んで支持し、石材を安全に移動・据付けることができる。また、この石積・石張吊金具によれば、石を挟み込んで持ち上げるので、吊り上げ時、据付け後のワイヤーロープの掛け・外しを容易にすることができ、先に据付けた石を動かしてしまうこともない。
【００３０】
以上、本発明の実施形態について説明したが、本発明はこれに限定されることなく、その趣旨を逸脱しない範囲で種々の改良・変更が可能であることは勿論である。
【００３１】
例えば、図５に示されるように、第１の保持部材１２の直線部１２ａ，１２ｃの長さが１００ｍｍ、第１の保持部材１２の曲線部１２ｂ，１２ｄの半径が７５ｍｍ、第２の保持部材１３の長さが２５０ｍｍ、第３、第４の保持部材１４，１５の長さが１５０ｍｍとなるようにしてもよい。いずれもサイズも、丸鋼材の中心からの長さである。
【００３２】
或いは、図６に示されるように、第１の保持部材２２の直線部２２ａの中間位置と直線部２２ｃの中間位置とに、その両端がそれぞれ溶接された第５の保持部材２６を更に設けた構成として、第１の保持部材２２の直線部２２ａ，２２ｃの長さが３５０ｍｍ、第１の保持部材２２の曲線部２２ｂ，２２ｄの半径が７５ｍｍ、第２の保持部材２３の長さが５００ｍｍ、第３乃至第５の保持部材２４乃至２６の長さが１５０ｍｍとなるようにしてもよいことは勿論である。いずれもサイズも、丸鋼材の中心からの長さである。
【符号の説明】
【００３３】
１  石積・石張吊金具
２  第１の保持部材
２ａ，２ｃ  直線部
２ｂ，２ｄ  曲線部
３  第２の保持部材
４  第３の保持部材
５  第４の保持部材
【図１】
0005581067.tif 000002
【図２】
0005581067.tif 000003
【図３】
0005581067.tif 000004
【図４】
0005581067.tif 000005
【図５】
0005581067.tif 000006
【図６】
0005581067.tif 000007